(57)【要約】【課題】フィルタエレメントが傷付けられることなく、フィルタエレメントに対して着脱することができるフィルタエレメント用アタッチメント及びアタッチメント付きフィルタエレメントを提供する。【解決手段】フィルタエレメント用アタッチメント１３は、襞折りされた濾材１４と、濾材１４における襞１４ａの稜線方向Ｙの両端に固定された一対の端板１５とを備えたフィルタエレメント１２に着脱自在に取り付けられる。フィルタエレメント用アタッチメント１３は、揮発性の薬剤が付与された網状部１６を有し、一対の端板１５同士の間において濾材１４を囲った状態で濾材１４に取り付けられる。【選択図】図１
2019072702.tif 000002
【特許請求の範囲】
【請求項１】
襞折りされた濾材と、前記濾材における襞の稜線方向の両端に固定された一対の端板とを備えたフィルタエレメントに着脱自在に取り付けられるフィルタエレメント用アタッチメントであって、
揮発性の薬剤が付与された付与部を少なくとも一部に有し、一対の前記端板同士の間において前記濾材を囲った状態で前記濾材に取り付けられることを特徴とするフィルタエレメント用アタッチメント。
【請求項２】
前記濾材と対向する網状部を備え、
前記網状部には、前記薬剤が付与されていることを特徴とする請求項１に記載のフィルタエレメント用アタッチメント。
【請求項３】
前記網状部の縁には、前記網状部を囲むように枠部が設けられていることを特徴とする請求項２に記載のフィルタエレメント用アタッチメント。
【請求項４】
前記濾材に取り付ける際に閉じられ、前記濾材から取り外す際に開かれる開閉部を備えることを特徴とする請求項１〜請求項３のうちいずれか一項に記載のフィルタエレメント用アタッチメント。
【請求項５】
請求項１〜請求項４のうちいずれか一項に記載のフィルタエレメント用アタッチメントが取り付けられ、
前記付与部は、前記濾材によって濾過される気体の流れ方向における前記濾材よりも下流側に配置されていることを特徴とするアタッチメント付きフィルタエレメント。
【発明の詳細な説明】
【技術分野】
【０００１】
本発明は、例えば自動車の空調装置などに用いられるフィルタエレメントに取り付けられるフィルタエレメント用アタッチメント及びアタッチメント付きフィルタエレメントに関する。
【背景技術】
【０００２】
従来、この種のフィルタエレメント用アタッチメントとして例えば特許文献１に示す空調装置が知られている。このような空調装置は、襞折りされたフィルタエレメントを有するフィルタに使用され、抗菌特性または殺菌特性を有する揮発性処理剤の入った浸透可能な容器と、容器をフィルタエレメントの折目同士の間に取り付けるための把持具とを備えている。そして、この空調装置をフィルタエレメントに取り付けることで、停車中に揮発性処理剤が揮発して空調装置内に充満し、微生物の繁殖が抑制される。
【先行技術文献】
【特許文献】
【０００３】
【特許文献１】特表２００８−５０４１７２号公報
【発明の概要】
【発明が解決しようとする課題】
【０００４】
ところで、上述のような空調装置は、容器と把持具とでフィルタエレメントを挟んだ状態で容器を把持具によって把持することで、フィルタに取り付けられている。すなわち、フィルタエレメントの一方側に配置された容器をフィルタエレメントの他方側に配置された把持具によってフィルタエレメント越しに把持することによって、空調装置がフィルタに取り付けられている。このため、空調装置をフィルタに対して着脱する際に、把持具による負荷がフィルタエレメントに対して局所的にかかるので、フィルタエレメントが傷付けられるおそれがあるという問題がある。
【０００５】
本発明は、このような従来技術に存在する問題点に着目してなされたものである。その目的は、フィルタエレメントが傷付けられることなく、フィルタエレメントに対して着脱することができるフィルタエレメント用アタッチメント及びアタッチメント付きフィルタエレメントを提供することにある。
【課題を解決するための手段】
【０００６】
以下、上記課題を解決するための手段及びその作用効果について記載する。
上記課題を解決するフィルタエレメント用アタッチメントは、襞折りされた濾材と、前記濾材における襞の稜線方向の両端に固定された一対の端板とを備えたフィルタエレメントに着脱自在に取り付けられるフィルタエレメント用アタッチメントであって、揮発性の薬剤が付与された付与部を少なくとも一部に有し、一対の前記端板同士の間において前記濾材を囲った状態で前記濾材に取り付けられることを要旨とする。
【０００７】
この構成によれば、フィルタエレメント用アタッチメントが濾材を囲った状態でフィルタエレメントに対して着脱自在に取り付けられるので、フィルタエレメント用アタッチメントを濾材に対して着脱する際の濾材にかかる負荷が軽減される。したがって、フィルタエレメント用アタッチメントを、フィルタエレメントが傷付けられることなく、フィルタエレメントに対して着脱することができる。
【発明の効果】
【０００８】
本発明によれば、フィルタエレメントが傷付けられることなく、フィルタエレメントに対してフィルタエレメント用アタッチメントを着脱することができる。
【図面の簡単な説明】
【０００９】
【図１】一実施形態におけるアタッチメント付きフィルタエレメントの平面模式図。
【図２】図１の２−２線矢視断面図。
【図３】図１の底面図。
【図４】フィルタエレメントにアタッチメントを取り付けるときの状態を示す側断面図。
【図５】変更例におけるアタッチメント付きフィルタエレメントの側断面図。
【図６】変更例のフィルタエレメントにアタッチメントを取り付けるときの状態を示す側断面図。
【発明を実施するための形態】
【００１０】
以下、自動車用の空調装置に設けられるアタッチメント付きフィルタエレメントの一実施形態を図面に従って説明する。
図１に示すように、自動車用の空調装置（図示略）には、空気（気体）を濾過するアタッチメント付きフィルタエレメント１１が設けられる。アタッチメント付きフィルタエレメント１１は、フィルタエレメント１２と、フィルタエレメント１２に対して着脱自在に取り付けられるフィルタエレメント用アタッチメント（以下、アタッチメント１３という）とを備えている。
【００１１】
図１及び図２に示すように、フィルタエレメント１２は、山折りと谷折りが交互になるように襞折りされた濾材１４と、濾材１４における襞１４ａの延びる方向（以下、稜線方向Ｙという）の両端に接着剤によって固定された一対の矩形状の端板１５とを備えており、平面視で矩形状をなしている。濾材１４は、例えば合成樹脂繊維からなる不織布によって形成することができるが、濾紙によって形成してもよい。
【００１２】
各端板１５は、例えばポリウレタンなどの合成樹脂を発泡成形することにより形成された合成スポンジによって形成することができるが、不織布によって形成してもよい。各端板１５は、濾材１４における襞１４ａの稜線方向Ｙと直交する並び方向（以下、並び方向Ｘという）全体にわたって設けられている。
【００１３】
図１及び図２に示すように、アタッチメント１３は、例えば合成樹脂によって形成され、フィルタエレメント１２における一対の端板１５同士の間において濾材１４全体を囲った状態で濾材１４に取り付けられる。すなわち、アタッチメント１３は、濾材１４全体を囲うことによって濾材１４に取り付けた状態において環状をなしている。
【００１４】
図２及び図３に示すように、濾材１４に取り付けた状態のアタッチメント１３は、濾材１４によって濾過される空気（気体）の流れ方向Ａにおける濾材１４よりも下流側に配置された矩形状の網状部１６と、流れ方向Ａにおける濾材１４よりも上流側に稜線方向Ｙに間隔を置いて配置された一対の棒状の支持部１７とを備えている。網状部１６及び一対の支持部１７は、濾材１４と流れ方向Ａで対向している。したがって、網状部１６と一対の支持部１７とは、流れ方向Ａにおいて濾材１４を挟んで互いに対向している。
【００１５】
網状部１６には、揮発性の薬剤が付与されている。したがって、本実施形態では網状部１６によって揮発性の薬剤が付与された付与部が構成されている。網状部１６に付与される薬剤としては消臭剤、抗菌剤、芳香剤、殺虫剤などを用いることができるが、本実施形態の薬剤には抗菌剤が採用されている。網状部１６への薬剤の付与は、網状部１６に薬剤を塗布することによって行ってもよいし、網状部１６を構成する合成樹脂材料に薬剤を練り込むようにして行ってもよい。網状部１６の縁には、網状部１６を囲むように矩形状の枠部１８が設けられている。
【００１６】
図１及び図２に示すように、アタッチメント１３は、フィルタエレメント１２における並び方向Ｘの両側部のうちの一方と対向する位置にヒンジ部１９を備え、フィルタエレメント１２における並び方向Ｘの両側部のうちの他方と対向する位置に開閉部２０を備えている。すなわち、ヒンジ部１９と開閉部２０とは、並び方向Ｘにおいて濾材１４を挟んで互いに対向している。アタッチメント１３は、ヒンジ部１９を回動中心として回動されることで、開閉部２０が開閉される。
【００１７】
開閉部２０は、アタッチメント１３の一端部に設けられた係止孔２１と、アタッチメント１３の他端部に設けられて係止孔２１と係止可能な係止爪２２とを備えている。開閉部２０は、アタッチメント１３を濾材１４に取り付ける際に係止孔２１と係止爪２２とを係止することによって閉じられた状態（図２に示す状態）となり、アタッチメント１３を濾材１４から取り外す際に係止孔２１と係止爪２２とを離すことによって開かれた状態（図４に示す状態）となる。
【００１８】
次に、アタッチメント１３をフィルタエレメント１２に取り付けてアタッチメント付きフィルタエレメント１１を形成するときの作用について説明する。
アタッチメント１３をフィルタエレメント１２に取り付ける場合には、まず、係止孔２１と係止爪２２との係止状態を解除する。続いて、ヒンジ部１９を回動中心として係止孔２１と係止爪２２とが離れるようにアタッチメント１３を回動させると、アタッチメント１３の開閉部２０が図４に示すように開かれた状態となる。続いて、アタッチメント１３の一対の支持部１７上に濾材１４が載置されるようにフィルタエレメント１２を配置する。
【００１９】
続いて、ヒンジ部１９を回動中心として係止孔２１と係止爪２２とが近づくようにアタッチメント１３を回動させると、図２に示すように係止孔２１と係止爪２２とが係止されてアタッチメント１３の開閉部２０が閉じられた状態となる。これにより、濾材１４が網状部１６と一対の支持部１７とで挟まれた状態となり、フィルタエレメント１２へのアタッチメント１３の取り付け作業が完了する。
【００２０】
一方、フィルタエレメント１２からアタッチメント１３を取り外す場合には、まず、係止孔２１と係止爪２２との係止状態を解除する。続いて、ヒンジ部１９を回動中心として係止孔２１と係止爪２２とが離れるようにアタッチメント１３を回動させると、アタッチメント１３の開閉部２０が図４に示すように開かれた状態となる。この状態で、アタッチメント１３内からフィルタエレメント１２を取り出すことで、フィルタエレメント１２からのアタッチメント１３の取り外し作業が完了する。
【００２１】
このように、アタッチメント１３は、フィルタエレメント１２に対して濾材１４全体を囲うことによって着脱自在に取り付けられるので、アタッチメント１３を濾材１４に対して着脱する際の濾材１４にかかる負荷が軽減される。すなわち、アタッチメント１３を濾材１４に対して着脱する際に、濾材１４に対して局所的に負荷がかかることはない。したがって、アタッチメント１３を、濾材１４（フィルタエレメント１２）が傷付けられることなく、フィルタエレメント１２に対して着脱することができる。
【００２２】
次に、自動車用の空調装置に設けられるアタッチメント付きフィルタエレメント１１の作用について説明する。
空調装置（図示略）は、車外または車室内から取り込んだ空気を、フィルタエレメント１２で濾過してエバポレーター（図示略）で冷却した後、車室内へ送る。この場合、エバポレーターには結露によって水分が溜まるため、空調装置を長期間使用すると、細菌などの微生物が特にエバポレーターで繁殖して臭いが発生する。このため、空調装置から車室内へ送られる空気が臭くなってしまう。
【００２３】
この点、本実施形態の自動車用の空調装置（図示略）に設けられるアタッチメント付きフィルタエレメント１１は、フィルタエレメント１２の濾材１４によって濾過される空気（気体）の流れ方向Ａにおける濾材１４よりも下流側に揮発性の抗菌剤が付与された網状部１６が配置されている。このため、抗菌剤が濾材１４に濾過されないので、抗菌剤が濾材１４に付着することが抑制される。したがって、停車中に抗菌剤が揮発して空調装置（図示略）内に充満し、微生物の繁殖が抑制される。この結果、空調装置（図示略）内が抗菌されるので、空調装置から車室内へ送られる空気が臭くなることが抑制される。
【００２４】
以上詳述した実施形態によれば、次のような効果が発揮される。
（１）アタッチメント１３は、フィルタエレメント１２の一対の端板１５同士の間において濾材１４を囲った状態で濾材１４に取り付けられる。このため、アタッチメント１３を濾材１４に対して着脱する際の濾材１４にかかる負荷を軽減できる。したがって、アタッチメント１３を、フィルタエレメント１２が傷付けられることなく、フィルタエレメント１２に対して着脱することができる。
【００２５】
（２）アタッチメント１３は、濾材１４と対向する網状部１６を備え、網状部１６には、薬剤（抗菌剤）が付与されている。このため、停車中に薬剤（抗菌剤）が揮発して空調装置（図示略）内に充満するので、微生物の繁殖を抑制できる。
【００２６】
（３）アタッチメント１３において、網状部１６の縁には、網状部１６を囲むように枠部１８が設けられている。このため、網状部１６を枠部１８によって補強することができる。
【００２７】
（４）アタッチメント１３は、濾材１４に取り付ける際に閉じられ、濾材１４から取り外す際に開かれる開閉部２０を備えている。このため、開閉部２０を開閉することで、アタッチメント１３をフィルタエレメント１２に対して容易に着脱することができる。
【００２８】
（５）アタッチメント付きフィルタエレメント１１において、薬剤（抗菌剤）が付与された網状部１６は、濾材１４によって濾過される空気（気体）の流れ方向Ａにおける濾材１４よりも下流側に配置されている。このため、網状部１６に付与された薬剤（抗菌剤）が濾材１４に付着することを抑制できる。
【００２９】
（変更例）
なお、上記実施形態は次のように変更してもよい。
・図５に示すように、アタッチメント１３において、ヒンジ部１９を開閉部２０に変更してもよい。この場合、アタッチメント１３における並び方向Ｘの両端部に開閉部２０が配置される。このようにすれば、開閉部２０を開くことで、図６に示すように、アタッチメント１３を、網状部１６側の部分と一対の支持部１７側の部分とに分離することができる。このため、アタッチメント１３をフィルタエレメント１２に対して容易に着脱することができる。
【００３０】
・アタッチメント付きフィルタエレメント１１において、揮発性の抗菌剤が付与された網状部１６は、必ずしもフィルタエレメント１２の濾材１４によって濾過される空気（気体）の流れ方向Ａにおける濾材１４よりも下流側に配置する必要はない。
【００３１】
・アタッチメント１３において、開閉部２０は省略してもよい。
・アタッチメント１３において、枠部１８は省略してもよい。
・アタッチメント１３において、網状部１６は省略してもよい。
【００３２】
・アタッチメント１３において、付与部として支持部１７に薬剤を付与してもよいし、付与部として枠部１８に薬剤を付与してもよい。あるいは、付与部としてアタッチメント１３全体に薬剤を付与してもよい。
【００３３】
・アタッチメント１３において、支持部１７の数、太さ、形状は適宜変更してもよい。
・アタッチメント１３において、網状部１６の形状や目の粗さは適宜変更してもよい。
・アタッチメント１３において、開閉部２０は、磁力によって閉じられるように構成してもよい。
【００３４】
・アタッチメント付きフィルタエレメント１１は、自動車用以外の空調装置に設けられるようにしてもよい。
【符号の説明】
【００３５】
１１…アタッチメント付きフィルタエレメント、１２…フィルタエレメント、１３…アタッチメント（フィルタエレメント用アタッチメント）、１４…濾材、１４ａ…襞、１５…端板、１６…付与部を構成する網状部、１８…枠部、２０…開閉部、Ａ…流れ方向、Ｙ…稜線方向。
【図１】
2019072702.tif 000003
【図２】
2019072702.tif 000004
【図３】
2019072702.tif 000005
【図４】
2019072702.tif 000006
【図５】
2019072702.tif 000007
【図６】
2019072702.tif 000008